(57)【特許請求の範囲】
【請求項１】
電気コンタクトを受容するように形成された端部を有する第１および第２ハウジングであって、対応する電気コンタクトを接続するために互いに嵌合可能に形成された前端部を有し、さらに対応する電気コンタクトがそれぞれ部分的および完全に嵌合する初期位置と最終位置との間で移動可能である第１および第２ハウジングと、
レバー部材であって、前記第１および第２ハウジングと係合すると共に前記レバー部材を回転軸の回りに所定の移動範囲にわたって回転させるときに前記第１および第２ハウジングを前記初期位置と最終位置との間で移動させ、前記第１ハウジングと係合するための保持穴を有しかつ前記第２ハウジングと係合するように形成された第１および第２ギヤ面を有する少なくとも１つのカムアームを含むレバー部材と、
前記第２ハウジングの内側領域内に装着された第１および第２嵌合ポストであって、前記レバー部材が、前記第１および第２ハウジングを前記最終位置に向かって移動させるために、前記所定の移動範囲にわたって回転しているとき、前記第１嵌合ポストが、前記回転軸から第１距離で前記第１ギヤ面に係合し、前記レバー部材が、前記第１および第２ハウジングを前記初期位置に向かって移動させるために、前記所定の移動範囲にわたって反対方向に回転しているとき、前記第２嵌合ポストが、前記回転軸から第２距離で前記第２ギヤ面に係合し、かつ前記第１および第２距離が異なる、第１および第２嵌合ポストとを具備することを特徴とする電気コネクタ。
【請求項２】
前記少なくとも１つの保持穴が、前記第１ハウジングの外側壁から延びる旋回ポストに回転自在に係合することを特徴とする請求項１記載の電気コネクタ。
【請求項３】
前記第１ギヤ面が、前記カムアームの外周面内に形成されたノッチ内部の壁沿いにあり、前記第１嵌合ポストの下面部に係合するように形成されていることを特徴とする請求項１記載の電気コネクタ。
【請求項４】
前記第２ギヤ面が、前記カムアームの外周面内に形成されたノッチ内部の壁沿いにあることを特徴とする請求項１記載の電気コネクタ。
【請求項５】
前記嵌合ポストが、前記第１ギヤ面に係合するカム歯を有することを特徴とする請求項１記載の電気コネクタ。
【請求項６】
前記第２ハウジングが、前記第１および第２ハウジングを前記初期位置から前記最終位置まで移動させるときに、前記第１ハウジング内部において内側に配置した対応する穴によって受容されるように形成された、前記第２ハウジング内部において内側に配置された挿入ポストを含むことを特徴とする請求項１記載の電気コネクタ。
【請求項７】
前記レバー部材が、対向する前記第１および前記第２嵌合ポストが延びる前記第２ハウジングの対向する内側壁の間で、前記第１ハウジングの対向する外側壁から延び、前記カムアームが、対向する前記第１および第２嵌合ポスト間で回転しかつそれら第１および第２嵌合ポストに係合することを特徴とする請求項１記載の電気コネクタ。
【請求項８】
前記カムアームは、該カムアームの外周面内に形成されたノッチに沿って、前記第１ギヤ面に対向する第３ギヤ面を含み、該第３ギヤ面は、前記第１および第２ハウジングを前記初期位置に向かって移動させるために、前記レバー部材が前記所定の移動範囲にわたって回転しているとき、前記回転軸から第３位置で前記第１嵌合ポストの歯の上面部に係合するように形成され、かつ前記第３距離が前記第１距離および前記第２距離とは異なることを特徴とする前記請求項１記載の電気コネクタ。
【請求項９】
電気コンタクトを受容するように形成された端部を有する第１および第２ハウジングであって、対応する電気コンタクトを接続するために互いに嵌合可能に形成された前端部を有し、さらに対応する電気コンタクトがそれぞれ部分的および完全に嵌合する初期位置と最終位置との間で移動可能である第１および第２ハウジングと、
レバー部材であって、前記第１および第２ハウジングと係合すると共に前記レバー部材を回転軸の回りに所定の移動範囲にわたって回転させるときに前記第１および第２ハウジングを前記初期位置と最終位置との間で移動させ、前記第１ハウジングと係合するための保持穴を有しかつ前記第２ハウジングと係合するように形成された第１および第２嵌合解除面を有する少なくとも１つのカムアームを含むレバー部材と、
前記第２ハウジングの内側領域内に装着された第１および第２嵌合ポストであって、前記レバー部材が、前記第１および第２ハウジングを前記初期位置に移動させるために、前記所定の移動範囲にわたって回転しているとき、前記第１嵌合ポストが、前記回転軸から第１距離で前記第１嵌合解除面に係合するように形成され、前記レバー部材が、前記第１および第２ハウジングを前記初期位置に移動させるために、前記所定の移動範囲にわたって回転しているとき、前記第２嵌合ポストが、前記回転軸から第２距離で前記第２嵌合解除面に係合するように形成され、かつ前記第１および第２距離が異なる、第１および第２嵌合ポストとを具備することを特徴とする電気コネクタ。
【請求項１０】
前記少なくとも１つの保持穴が、前記第１ハウジングの外側壁から延びる旋回ポストに回転自在に係合することを特徴とする請求項９記載の電気コネクタ。
【請求項１１】
前記第１嵌合解除面が、前記カムアームの外周面内に形成されたノッチ内部の壁沿いにあり、前記第１嵌合ポストの頂部に係合するように形成されていることを特徴とする請求項９記載の電気コネクタ。
【請求項１２】
前記第２嵌合解除面が、前記カムアームの外周面内に形成されたノッチ内部の壁沿いにあることを特徴とする請求項９に記載の電気コネクタ。
【請求項１３】
前記嵌合ポストが、前記第１嵌合解除面に係合するカム歯を有することを特徴とする請求項９記載の電気コネクタ。
【請求項１４】
前記第２ハウジングが、前記第１および第２ハウジングを前記初期位置から前記最終位置まで移動させるときに、前記第１ハウジング内部において内側に配置された３つの対応する穴によって受容されるように形成された、前記第２ハウジング内部において内側に配置された３つの挿入ポストを含むことを特徴とする請求項９記載の電気コネクタ。
【請求項１５】
前記レバー部材が、対向する前記第１および前記第２嵌合ポストが延びる前記第２ハウジングの対向する内側壁の間で、前記第１ハウジングの対向する外側壁から延び、前記カムアームが、対向する前記第１および第２嵌合ポスト間で回転しかつそれら第１および第２嵌合ポストに係合することを特徴とする請求項９記載の電気コネクタ。
【請求項１６】
前記カムアームは、該カムアームの外周面内に形成されたノッチに沿って、前記第１嵌合解除面に対向する第１嵌合面を含み、該第１嵌合面は、前記第１および第２ハウジングを前記最終位置に移動させるために、前記レバー部材が前記所定の移動範囲にわたって回転しているとき、前記回転軸から第３位置で前記第１嵌合ポストの歯の下面部に係合するように形成され、かつ前記第３距離が前記第１距離および前記第２距離とは異なることを特徴とする前記請求項９記載の電気コネクタ。
【請求項１７】
電気コンタクトを受容するように形成された端部を有する第１および第２ハウジングであって、対応する電気コンタクトを接続するために互いに嵌合可能に形成された前端部を有し、さらに対応する電気コンタクトがそれぞれ部分的および完全に嵌合する初期位置と最終位置との間で移動可能である第１および第２ハウジングと、
レバー部材であって、前記第１および第２ハウジングと係合すると共に前記レバー部材を回転軸の回りに所定の移動範囲にわたって回転させるときに前記第１および第２ハウジングを前記初期位置と最終位置との間で移動させ、前記第１ハウジングと係合するための保持穴を有しかつ前記第２ハウジングと係合する第１、第２および第３ギヤ面を有する少なくとも１つのカムアームを含むレバー部材と、
前記第２ハウジングの内側領域内に装着された少なくとも一組の第１および第２嵌合ポストであって、前記レバー部材が、前記第１および第２ハウジングを前記最終位置に移動させるために、前記所定の移動範囲にわたって回転しているとき、前記第１嵌合ポストが、前記回転軸から第１距離で前記第１ギヤ面に係合するように形成され、前記レバー部材が、前記第１および第２ハウジングを前記初期位置に移動させるために、前記所定の移動範囲にわたって回転しているとき、前記歯が、前記回転軸から第２距離で前記第２ギヤ面に係合するように形成され、さらに前記レバー部材が、前記第１および第２ハウジングを前記初期位置に移動させるために、前記所定の移動範囲にわたって回転しているとき、前記第２嵌合ポストが、前記回転軸から第３距離で前記第３ギヤ面に係合するように形成され、かつ前記第１、第２および第３距離が異なる、少なくとも一組の第１および第２嵌合ポストとを具備することを特徴とする電気コネクタ
【請求項１８】
前記少なくとも１つの保持穴が、前記第１ハウジングの外側壁から延びる旋回ポストに回転自在に係合することを特徴とする請求項１７記載の電気コネクタ。
【請求項１９】
前記第１ギヤ面が、前記カムアームの外周面内に形成されたノッチ内部で前記第２ギヤ面に対向する壁沿いにあり、前記第１嵌合ポストの下面部に係合するように形成されていることを特徴とする請求項１７記載の電気コネクタ。
【請求項２０】
前記第１ギヤ面が、前記カムアームの外周面内に形成されたノッチ内部で前記第２ギヤ面に対向する壁沿いにあり、前記第２ギヤ面が、前記第１嵌合ポストの頂部に係合するように形成されていることを特徴とする請求項１７記載の電気コネクタ。
【請求項２１】
前記第１ギヤ面が、前記カムアームの外周面内に形成された第１ノッチ内部で前記第２ギヤ面に対向する壁沿いにあり、前記第３ギヤ面が、前記第１ノッチに隣接して前記カムアームの外周面内に形成された第２ノッチ内部の壁沿いにありかつ前記第２嵌合ポストの頂部に係合するように形成されていることを特徴とする請求項１７記載の電気コネクタ。
【請求項２２】
前記第１嵌合ポストが、前記第２ギヤ面に係合するように形成された頂部と前記第１ギヤ面に係合するように形成された下面部とを有するカム歯を含むことを特徴とする請求項１７記載の電気コネクタ。
【請求項２３】
前記第２ハウジングが、前記第１および第２ハウジングを前記初期位置から前記最終位置まで移動させるときに、前記第１ハウジング内部において内側に配置された３つの対応する穴によって受容されるように形成された、前記第２ハウジング内部において内側に配置された３つの挿入ポストを含むことを特徴とする請求項１７記載の電気コネクタ。
【請求項２４】
前記レバー部材が、対向する前記第１嵌合ポストおよび前記第２嵌合ポストが延びる前記第２ハウジングの対向する内側壁の間で、前記第１ハウジングの対向する外側壁から延び、前記カムアームが、対向する前記第１および第２嵌合ポスト間で回転しかつそれら第１および第２嵌合ポストに係合することを特徴とする請求項１７記載の電気コネクタ。
【発明の詳細な説明】
【０００１】
【発明の属する技術分野】
本発明の幾つかの実施形態は一般に、摩擦抵抗のある構成要素を係合させるためのレバーを用いる接続装置組立体に関する。さらに詳細には、本発明の幾つかの実施形態は、別体のハウジングに内蔵した電気コンタクトを接続するための嵌合補助装置組立体に関する。
【０００２】
【従来の技術】
幾つかの応用分野では、自動車用の電気部品などにおけるように、電子部品は幾つかの電気コンタクトの嵌合を要求している。電子部品は幾つかの電気コンタクトを保持するコネクタハウジングを含み、一方、相手コネクタハウジングが同数の電気コンタクトを保持している。一方のコネクタハウジングは雄型電気コンタクトを含み、また他方のコネクタハウジングが雌型電気コンタクトを含んでいる。嵌合すべき電気コンタクトの数が増加するにつれて、嵌合する電気コンタクト間の摩擦のために嵌合するコネクタ同士を完全に結合することが困難になる。コネクタハウジングは嵌合補助装置組立体を伴って形成されており、この組立体は、嵌合する電気コンタクトによって生じる摩擦抵抗に打ち勝つために、コネクタハウジングを引き合わせるレバー／ギヤシステムを備えている。
【０００３】
嵌合補助装置組立体は、米国特許第５，８３３，４８４号明細書に説明されており、この明細書に開示された嵌合補助装置組立体は、レバーと、電気コンタクトを具備する第１および第２コネクタハウジングとを含んでいる。第１コネクタハウジングは、第２コネクタハウジングの内側に位置するように形成されている。レバーは、ハンドルと、第１コネクタハウジングの端部壁から延長しかつこの壁沿いに回転可能な２本のアームとを含んでいる。電気コンタクトがつかえてそれ以上挿入できない箇所まで、第２コネクタハウジングを第１コネクタハウジングおよびレバーアーム上へ滑動させて、それら第１コネクタハウジングおよびレバーアームを収納させることができる。各レバーアームは１つのギヤ歯付きカムアームを含んでいる。複数のラックが第２コネクタハウジング内部に設けられ、それぞれのラックは一方のカムアームのギヤ歯に対応する。
【０００４】
ハンドルを上向きに回転すると、ラックとカムアームとが係合し、第１コネクタハウジングおよびレバーを第２コネクタハウジング内へ引き下げてそれらの電気コンタクトを嵌合する。あるいは、ハンドルを下向きに回転させると、第１コネクタハウジングが第２コネクタハウジングから引き上げられて電気コンタクトが非嵌合状態となる。
【０００５】
【発明が解決しようとする課題】
従来の嵌合補助装置組立体には幾つかの欠点がある。第１に、カムアームを射出成形法によって製造するが、この種の射出成形法を用いてギヤ歯などの数多くの小部分を有する１つの部品を製造する場合、実行が難しくかつ時間がかかる。複数のギヤ歯を射出成形によって製造することも困難である。第２に、これらのギヤ歯では、最初にラックに係合する際に、強い嵌合解除力が生じない。よって接合しているコンタクトの静的摩擦に打ち勝つことが難しい。したがって、以上の問題を克服しかつ従来技術が直面してきた他の問題に対処する嵌合補助装置組立体に対する必要性が存在する。
【０００６】
【課題を解決するための手段】
本発明のうち請求項１に係る電気コネクタは、電気コンタクトを受容するように形成された端部を有する第１および第２ハウジングであって、対応する電気コンタクトを接続するために互いに嵌合可能に形成された前端部を有し、さらに対応する電気コンタクトがそれぞれ部分的および完全に嵌合する初期位置と最終位置との間で移動可能である第１および第２ハウジングと、レバー部材であって、前記第１および第２ハウジングと係合すると共に前記レバー部材を回転軸の回りに所定の移動範囲にわたって回転させるときに前記第１および第２ハウジングを前記初期位置と最終位置との間で移動させ、前記第１ハウジングと係合するための保持穴を有しかつ前記第２ハウジングと係合するように形成された第１および第２ギヤ面を有する少なくとも１つのカムアームを含むレバー部材と、前記第２ハウジングの内側領域内に装着された第１および第２嵌合ポストであって、前記レバー部材が、前記第１および第２ハウジングを前記最終位置に向かって移動させるために、前記所定の移動範囲にわたって回転しているとき、前記第１嵌合ポストが、前記回転軸から第１距離で前記第１ギヤ面に係合し、前記レバー部材が、前記第１および第２ハウジングを前記初期位置に向かって移動させるために、前記所定の移動範囲にわたって反対方向に回転しているとき、前記第２嵌合ポストが、前記回転軸から第２距離で前記第２ギヤ面に係合し、かつ前記第１および第２距離が異なる、第１および第２嵌合ポストとを具備することを特徴としている。
【０００７】
本発明のうち請求項２に係る電気コネクタは、請求項１記載の発明において、前記少なくとも１つの保持穴が、前記第１ハウジングの外側壁から延びる旋回ポストに回転自在に係合することを特徴としている。
本発明のうち請求項３に係る電気コネクタは、請求項１記載の発明において、前記第１ギヤ面が、前記カムアームの外周面内に形成されたノッチ内部の壁沿いにあり、前記第１嵌合ポストの下面部に係合するように形成されていることを特徴としている。
【０００８】
本発明のうち請求項４に係る電気コネクタは、請求項１記載の発明において、前記第２ギヤ面が、前記カムアームの外周面内に形成されたノッチ内部の壁沿いにあることを特徴としている。
本発明のうち請求項５に係る電気コネクタは、請求項１記載の発明において、前記嵌合ポストが、前記第１ギヤ面に係合するカム歯を有することを特徴としている。
【０００９】
本発明のうち請求項６に係る電気コネクタは、請求項１記載の発明において、前記第２ハウジングが、前記第１および第２ハウジングを前記初期位置から前記最終位置まで移動させるときに、前記第１ハウジング内部において内側に配置した対応する穴によって受容されるように形成された、前記第２ハウジング内部において内側に配置された挿入ポストを含むことを特徴としている。
【００１０】
本発明のうち請求項７に係る電気コネクタは、請求項１記載の発明において、前記レバー部材が、対向する前記第１および前記第２嵌合ポストが延びる前記第２ハウジングの対向する内側壁の間で、前記第１ハウジングの対向する外側壁から延び、前記カムアームが、対向する前記第１および第２嵌合ポスト間で回転しかつそれら第１および第２嵌合ポストに係合することを特徴としている。
【００１１】
本発明のうち請求項８に係る電気コネクタは、請求項１記載の発明において、前記カムアームは、該カムアームの外周面内に形成されたノッチに沿って、前記第１ギヤ面に対向する第３ギヤ面を含み、該第３ギヤ面は、前記第１および第２ハウジングを前記初期位置に向かって移動させるために、前記レバー部材が前記所定の移動範囲にわたって回転しているとき、前記回転軸から第３位置で前記第１嵌合ポストの歯の上面部に係合するように形成され、かつ前記第３距離が前記第１距離および前記第２距離とは異なることを特徴としている。
【００１２】
また、本発明のうち請求項９に係る電気コネクタは、電気コンタクトを受容するように形成された端部を有する第１および第２ハウジングであって、対応する電気コンタクトを接続するために互いに嵌合可能に形成された前端部を有し、さらに対応する電気コンタクトがそれぞれ部分的および完全に嵌合する初期位置と最終位置との間で移動可能である第１および第２ハウジングと、レバー部材であって、前記第１および第２ハウジングと係合すると共に前記レバー部材を回転軸の回りに所定の移動範囲にわたって回転させるときに前記第１および第２ハウジングを前記初期位置と最終位置との間で移動させ、前記第１ハウジングと係合するための保持穴を有しかつ前記第２ハウジングと係合するように形成された第１および第２嵌合解除面を有する少なくとも１つのカムアームを含むレバー部材と、前記第２ハウジングの内側領域内に装着された第１および第２嵌合ポストであって、前記レバー部材が、前記第１および第２ハウジングを前記初期位置に移動させるために、前記所定の移動範囲にわたって回転しているとき、前記第１嵌合ポストが、前記回転軸から第１距離で前記第１嵌合解除面に係合するように形成され、前記レバー部材が、前記第１および第２ハウジングを前記初期位置に移動させるために、前記所定の移動範囲にわたって回転しているとき、前記第２嵌合ポストが、前記回転軸から第２距離で前記第２嵌合解除面に係合するように形成され、かつ前記第１および第２距離が異なる、第１および第２嵌合ポストとを具備することを特徴としている。
【００１３】
本発明のうち請求項１０に係る電気コネクタは、請求項９記載の発明において、前記少なくとも１つの保持穴が、前記第１ハウジングの外側壁から延びる旋回ポストに回転自在に係合することを特徴としている。
本発明のうち請求項１１に係る電気コネクタは、請求項９記載の発明において、前記第１嵌合解除面が、前記カムアームの外周面内に形成されたノッチ内部の壁沿いにあり、前記第１嵌合ポストの頂部に係合するように形成されていることを特徴としている。
【００１４】
本発明のうち請求項１２に係る電気コネクタは、請求項９記載の発明において、前記第２嵌合解除面が、前記カムアームの外周面内に形成されたノッチ内部の壁沿いにあることを特徴としている。
本発明のうち請求項１３に係る電気コネクタは、請求項９記載の発明において、前記嵌合ポストが、前記第１嵌合解除面に係合するカム歯を有することを特徴としている。
【００１５】
本発明のうち請求項１４に係る電気コネクタは、請求項９記載の発明において、前記第２ハウジングが、前記第１および第２ハウジングを前記初期位置から前記最終位置まで移動させるときに、前記第１ハウジング内部において内側に配置された３つの対応する穴によって受容されるように形成された、前記第２ハウジング内部において内側に配置された３つの挿入ポストを含むことを特徴としている。
【００１６】
本発明のうち請求項１５に係る電気コネクタは、請求項９記載の発明において、前記レバー部材が、対向する前記第１および前記第２嵌合ポストが延びる前記第２ハウジングの対向する内側壁の間で、前記第１ハウジングの対向する外側壁から延び、前記カムアームが、対向する前記第１および第２嵌合ポスト間で回転しかつそれら第１および第２嵌合ポストに係合することを特徴としている。
【００１７】
本発明のうち請求項１６に係る電気コネクタは、請求項９記載の発明において、前記カムアームは、該カムアームの外周面内に形成されたノッチに沿って、前記第１嵌合解除面に対向する第１嵌合面を含み、該第１嵌合面は、前記第１および第２ハウジングを前記最終位置に移動させるために、前記レバー部材が前記所定の移動範囲にわたって回転しているとき、前記回転軸から第３位置で前記第１嵌合ポストの歯の下面部に係合するように形成され、かつ前記第３距離が前記第１距離および前記第２距離とは異なることを特徴としている。
【００１８】
また、本発明のうち請求項１７に係る電気コネクタは、電気コンタクトを受容するように形成された端部を有する第１および第２ハウジングであって、対応する電気コンタクトを接続するために互いに嵌合可能に形成された前端部を有し、さらに対応する電気コンタクトがそれぞれ部分的および完全に嵌合する初期位置と最終位置との間で移動可能である第１および第２ハウジングと、カバー部材であって、前記第１および第２ハウジングと係合すると共に前記レバー部材を回転軸の回りに所定の移動範囲にわたって回転させるときに前記第１および第２ハウジングを前記初期位置と最終位置との間で移動させ、前記第１ハウジングと係合するための保持穴を有しかつ前記第２ハウジングと係合する第１、第２および第３ギヤ面を有する少なくとも１つのカムアームを含むレバー部材と、前記第２ハウジングの内側領域内に装着された少なくとも一組の第１および第２嵌合ポストであって、前記レバー部材が、前記第１および第２ハウジングを前記最終位置に移動させるために、前記所定の移動範囲にわたって回転しているとき、前記第１嵌合ポストが、前記回転軸から第１距離で前記第１ギヤ面に係合するように形成され、前記レバー部材が、前記第１および第２ハウジングを前記初期位置に移動させるために、前記所定の移動範囲にわたって回転しているとき、前記歯が、前記回転軸から第２距離で前記第２ギヤ面に係合するように形成され、さらに前記レバー部材が、前記第１および第２ハウジングを前記初期位置に移動させるために、前記所定の移動範囲にわたって回転しているとき、前記第２嵌合ポストが、前記回転軸から第３距離で前記第３ギヤ面に係合するように形成され、かつ前記第１、第２および第３距離が異なる、少なくとも一組の第１および第２嵌合ポストとを具備することを特徴としている。
【００１９】
本発明のうち請求項１８に係る電気コネクタは、請求項１７記載の発明において、前記少なくとも１つの保持穴が、前記第１ハウジングの外側壁から延びる旋回ポストに回転自在に係合することを特徴としている。
本発明のうち請求項１９に係る電気コネクタは、請求項１８記載の発明において、前記第１ギヤ面が、前記カムアームの外周面内に形成されたノッチ内部で前記第２ギヤ面に対向する壁沿いにあり、前記第１嵌合ポストの下面部に係合するように形成されていることを特徴としている。
【００２０】
本発明のうち請求項２０に係る電気コネクタは、請求項１７記載の発明において、前記第１ギヤ面が、前記カムアームの外周面内に形成されたノッチ内部で前記第２ギヤ面に対向する壁沿いにあり、前記第２ギヤ面が、前記第１嵌合ポストの頂部に係合するように形成されていることを特徴としている。
本発明のうち請求項２１に係る電気コネクタは、請求項１７記載の発明において、前記第１ギヤ面が、前記カムアームの外周面内に形成された第１ノッチ内部で前記第２ギヤ面に対向する壁沿いにあり、前記第３ギヤ面が、前記第１ノッチに隣接して前記カムアームの外周面内に形成された第２ノッチ内部の壁沿いにありかつ前記第２嵌合ポストの頂部に係合するように形成されていることを特徴としている。
【００２１】
本発明のうち請求項２２に係る電気コネクタは、請求項１７記載の発明において、前記第１嵌合ポストが、前記第２ギヤ面に係合するように形成された頂部と前記第１ギヤ面に係合するように形成された下面部とを有するカム歯を含むことを特徴としている。
本発明のうち請求項２３に係る電気コネクタは、請求項１７記載の発明において、前記第２ハウジングが、前記第１および第２ハウジングを前記初期位置から前記最終位置まで移動させるときに、前記第１ハウジング内部において内側に配置された３つの対応する穴によって受容されるように形成された、前記第２ハウジング内部において内側に配置された３つの挿入ポストを含むことを特徴としている。
【００２２】
本発明のうち請求項２４に係る電気コネクタは、請求項１７記載の発明において、前記レバー部材が、対向する前記第１嵌合ポストおよび前記第２嵌合ポストが延びる前記第２ハウジングの対向する内側壁の間で、前記第１ハウジングの対向する外側壁から延び、前記カムアームが、対向する前記第１および第２嵌合ポスト間で回転しかつそれら第１および第２嵌合ポストに係合することを特徴としている。
【００２３】
本発明の幾つかの実施形態が、第１および第２ハウジングを有する電気コネクタ組立体を含んでいる。第１および第２ハウジングは、電気コンタクトを受容するように形成された端部を有すると共に、対応する電気コンタクトを接続するために互いに嵌合可能に形成された前端部を有している。第１および第２ハウジングは、対応する電気コンタクトが部分的および完全に嵌合する初期位置と最終位置との間で移動可能となっている。
【００２４】
電気コネクタ組立体はレバー部材を含み、このレバー部材は、第１および第２ハウジングと係合すると共に、レバー部材を回転軸の回りに所定の移動範囲にわたって回転させるとき、第１および第２ハウジングを初期位置と最終位置との間で移動させる。レバー部材は、第１ハウジングと係合するための保持穴を有しかつ第２ハウジングと係合するように形成された第１および第２ギヤ面を有する少なくとも１つのカムアームを含んでいる。
【００２５】
電気コネクタ組立体は、第２ハウジングの内側領域内に装着された第１および第２嵌合ポストを含んでいる。第１嵌合ポストは、第１および第２ハウジングを最終位置に向かって移動させるために、レバー部材が所定の移動範囲にわたって回転しているとき、回転軸から第１距離で第１ギヤ面に係合する。第２嵌合ポストは、第１および第２ハウジングを初期位置に向かって移動させるために、レバー部材が所定の移動範囲にわたって反対方向に回転しているとき、回転軸から第２距離で第２ギヤ面に係合する。第１および第２距離は異なる。
【００２６】
他の幾つかの実施形態が、第１および第２ハウジングを有する電気コネクタ組立体を含んでいる。第１および第２ハウジングは、電気コンタクトを受容するように形成された端部を有すると共に、対応する電気コンタクトを接続するために互いに嵌合可能に形成された前端部を有している。第１および第２ハウジングは、対応する電気コンタクトがそれぞれ部分的および完全に嵌合する初期位置と最終位置との間で移動可能となっている。
【００２７】
電気コネクタ組立体はまた、レバー部材を含み、このレバー部材は、第１および第２ハウジングと係合すると共に、レバー部材を回転軸の回りに所定の移動範囲にわたって回転させるとき、第１および第２ハウジングを初期位置と最終位置との間で移動させる。レバー部材は、第１ハウジングと係合するための保持穴と、第２ハウジングと係合するように形成された第１および第２嵌合解除面とを有する少なくとも１つのカムアームを含んでいる。
【００２８】
電気コネクタ組立体はまた、第２ハウジングの内側領域内に装着された第１および第２嵌合ポストを含んでいる。第１嵌合ポストは、第１および第２ハウジングを初期位置に移動させるために、レバー部材が所定の移動範囲にわたって回転しているとき、回転軸から第１距離で第１嵌合解除面に係合するように形成されている。第２嵌合ポストは、第１および第２ハウジングを初期位置に移動させるために、レバー部材が所定の移動範囲にわたって回転しているとき、回転軸から第２距離で第２嵌合解除面に係合する。第１および第２距離は異なる。
【００２９】
【発明の実施の形態】
本発明の実施の形態を図面を参照して説明する。しかし、本発明を添付の図面に示す配置および手段に限定するものではないことを理解されたい。
図１は、本発明の一実施形態による嵌合補助装置組立体１０の上方から見た斜視図である。嵌合補助装置組立体１０は、下部１６および上部２０を有するハーネスコネクタ１８を含んでいる。下部１６は、複数のグループの複数の電気コンタクトを保持するパケットを受容するように形成されていると共に、上部２０が電気コンタクトを覆っている。モジュールコネクタ２２は、ハーネスコネクタ１８中の電気コンタクトと嵌合するように形成した電気コンタクトを保持している。このハーネスコネクタ１８は、初期段階位置までモジュールコネクタ２２内部に部分的に挿入される。レバー部材１４はハーネスコネクタ１８の外面上に保持されると共にモジュールコネクタ２２に係合する。レバー部材１４は、初期段階位置（図１参照）から最終位置（図８参照）まで矢印Ａ方向に回転可能である。レバー部材１４を回転すると、それがハーネスコネクタ１８を矢印Ｂ方向にモジュールコネクタ２２中へ押し下げると共に、ハーネスコネクタ１８及びモジュールコネクタ２２の電気コンタクトを相互に完全に嵌合させる。
【００３０】
図２は、図１の嵌合補助装置組立体１０の分解斜視図である。レバー部材１４は、回転軸３６に沿ってハーネスコネクタ１８から外側に突出する旋回ポスト３０の回りを回転するカムアーム２６を含んでいる。レバー部材１４は嵌合解除位置に向けてあり、この位置でレバーアーム５８が垂直軸２４にほぼ平行に並んでいる。モジュールコネクタ２２は、大きな位置合せポスト３８と、このモジュールコネクタ２２の中央に形成された小さな位置合せポスト４２とを含んでいる。モジュールコネクタ２２は、また、互いに向き合いかつ側壁１４６沿いに位置する嵌合ポスト４６を含んでいる。解除ポスト５０（１つのみを図示する）がこれらの嵌合ポスト４６の間に配置されている。
【００３１】
ハーネスコネクタ１８の上部２０および下部１６は保持ラッチ５６によって固定される。保持ラッチ５６は、上部２０から延長すると共に、下部１６の側壁６０から延びるラッチ留め７４と係合する。ハーネスコネクタ１８およびレバー部材１４は、矢印Ｃ方向に、着脱自在にモジュールコネクタ２２中へ下向きに挿入され、図１に示す初期段階位置になる。ハーネスコネクタ１８が初期段階位置にあるとき、各カムアーム２６は、１対の対向する嵌合ポスト４６の間に位置しかつ１対の解除ポスト５０の上方に位置する。そして、ハーネスコネクタ１８は、位置合せポスト３８および４２をハーネスコネクタ１８の内側に位置する位置合せ穴（図示せず）の内部に滑動自在に受容する。
【００３２】
図３は、図１および図２に示すハーネスコネクタ１８の下部１６の斜視図である。この下部１６は、箱形でありかつ対向側壁６０および対向端壁６２を含んでいる。ハーネスコネクタ１８をモジュールコネクタ２２の内部に配置できるように、下部１６の外周は図１および図２のモジュールコネクタ２２の内周よりも小さい。
【００３３】
固定レール６６および６７が、側壁６０の対向端から外側に延びている。２つの固定レール６７が下部１６の一端の両側に位置し、さらに２つの固定レール６６が下部１６の他端の両側に位置する。さらに単一の固定レール６７が下部１６の一端の片側に位置する。固定レール６６および６７は、下部１６が、モジュールコネクタ２２内部でこれらの固定レール６６および６７に対して横方向に滑動しないように、モジュールコネクタ２２内部の空隙１００（図５参照）によって滑動自在に受容される。旋回ポスト３０が、側壁６０の凹部７０の中央から外側に延在する。各カムアーム２６（図２参照）が、旋回ポスト３０を取り囲みかつ凹部７０に沿ってこの旋回ポスト３０の回りを回転する。ハーネスコネクタ１８をモジュールコネクタ２２内部に配置するとき、カムアーム２６は、凹部７０およびモジュールコネクタ２２によって画定されたチャンバー内部で回転可能である。側壁６０はまた、上部２０に形成された保持ラッチ５６にスナップ係合する三角形のラッチ留め７４を含んでいる。
【００３４】
短い固定レール６８が、端壁６２の対向する角部に近接して端壁６２から外側に延びている。短い固定レール６８は、モジュールコネクタ２２内部に滑動自在に受容され、かつモジュールコネクタ２２の端壁１５０（図５参照）に係合する。各端壁６２はまた、２つの菱形の保持はり８２の間に位置する保持くさび７８を含んでいる。この保持くさび７８は、モジュールコネクタ２２の保持溝８６（図５参照）によって受容されかつこの保持溝８６内部に位置するくさび留め９０（図５参照）にスナップ係合する。保持はり８２も同様にモジュールコネクタ２２内部に位置するはり留め９４（図５参照）にスナップ係合する。下部１６をモジュールコネクタ２２内に挿入すると、保持くさび７８および保持はり８２が、それぞれくさび留め９０およびはり留め９４を越えて滑動し、下部１６はモジュールコネクタ２２内部に保持される。
【００３５】
下部１６は、側壁６０および端壁６２から延びる壁９９によって形成された様々な形状およびサイズの幾つかのコネクタポケット９８を含んでいる。これらのコネクタポケット９８は、開放頂部分１０２から開放底部分１０６までハーネスコネクタ１８を貫通する。コネクタポケット９８は、モジュールコネクタ２２に内蔵した電気コンタクトと嵌合する電気コンタクトを保持する。大きい位置合せ穴９２の間に位置する小さい位置合せ穴９６が、幾組みかの複数のコネクタポケット９８の間で下部１６内部の中央に位置する。これらの大小の位置合せ穴９６および９２が、ハーネスコネクタ１８を貫通すると共に、このハーネスコネクタ１８をモジュールコネクタ２２内部に配置するとき、モジュールコネクタ２２に実装された大小の位置合せポスト４２および３８（図２参照）を受容しかつ収納する。
【００３６】
図４は、図１および図２のレバー部材１４をさらに詳細に示す斜視図である。ハンドル１１０がレバーアーム５８と一体形成されかつそれらの間で直角に延在している。これらのレバーアーム５８は、カムアーム２６を形成している。円形の接触基部１１４が、カムアーム２６の内側沿いに延在し、保持穴１１８がカムアーム２６および接触基部１１４を貫通している。レバー部材１４のハーネスコネクタ１８への取付けは、レバーアーム５８を互いに離れるように外向きに撓ませて、旋回ポスト３０（図２参照）が保持穴１１８内部に納まるまで接触基部１１４を旋回ポスト３０に沿って滑動させるようにすることによって行われる。次いで接触基部１１４がハーネスコネクタ１８の凹部７０（図３参照）と滑動自在に係合して、レバーアーム１４が回転軸３６の回りに回転可能となる。ハンドル１１０は、作業者がレバー部材１４を回転するために使用できる２つの把持面１２２を含んでいる。
【００３７】
各カムアーム２６は、このカムアーム２６の外周面内に形成されたギヤ歯１３２に沿って、第２ノッチ１３０に隣接する第１ノッチ１２６を含んでいる。この第１ノッチ１２６は、ギヤ歯１３２のギヤ面１３８から横方向に位置する第１ギヤ係合解除面１３４を含んでいる。レバー部材１４を回転して嵌合補助装置組立体１０を初期段階位置から最終位置（図８に示す）まで動かすとき、このギヤ面１３８が以下に説明するように嵌合ポスト４６（図２参照）と係合する。あるいは、レバー部材１４を回転して嵌合補助装置組立体１０を最終位置から初期段階位置まで動かすとき、第１ギヤ係合解除面１３４が以下に説明するように嵌合ポスト４６に係合する。
【００３８】
各カムアーム２６の第２ノッチ１３０は、第２ギヤ係合解除面１４２によって部分的に画定されている。レバー部材１４を回転し嵌合補助装置組立体１０を最終位置から初期段階位置まで動かすとき、この第２ギヤ係合解除面１４２が、以下で説明するように、嵌合ポスト４６と横並びに位置する解除ポスト５０（図２参照）に係合する。
【００３９】
図５は、図１および図２のモジュールコネクタ２２を示す斜視図である。２つの側壁１４６が、端壁１５０と一体に形成されると共に、端壁１５０に対して直角に整列されている。側壁１４６および端壁１５０は、基部１５４と一体に形成されると共に、基部１５４から立ち上がっている。基部１５４は、これらの側壁１４６および端壁１５０の外周よりも大きな外周を有する。基部１５４は無線装置などの電子部品（図示せず）に装着され、これらの側壁１４６および端壁１５０は、このような電子部品から外側に延在する。様々なサイズおよび形状の幾つかのコンタクトスロット１５８が基部１５４を貫通している。モジュールコネクタ２２内部に位置する電気コンタクトは、このコンタクトスロット１５８を介して電子部品に接続される。大きな位置合せポスト３８および小さな位置合せポスト４２は、基部１５４の中央から上向きに延在している。
【００４０】
側壁１４６の各々は、この側壁１４６の内面沿いに空隙１００を画定する側壁１４６の外面に沿ってレールチャンバー１６２を含んでいる。これらのレールチャンバー１６２は、ハーネスコネクタ１８をモジュールコネクタ２２内部に配置するとき、この空隙１００が、ハーネスコネクタ１８の側壁６０に位置する対応固定レール６６および６７（図３参照）を受容するように、それぞれの側壁１４６に沿って適切に位置決めされている。このようにして、レールチャンバー１６２が、固定レール６６および６７を保持しかつハーネスコネクタ１８を適切な配向でモジュールコネクタ２２内に案内する。
【００４１】
嵌合ポスト４６および解除ポスト５０が、基部１５４に沿って側壁１４６から内側に延びている。一方の側壁１４６から延びる２つの嵌合ポスト４６は、互いに向き合い、かつ他方の側壁１４６から延びる２つの嵌合ポスト４６に対向して配向されている。同様に２つの解除ポスト５０が、嵌合ポスト４６の間で一方の側壁１４６から延び、他方の側壁１４６から延びる２つの解除ポスト５０に対向して配向されている。各側壁１４６は、嵌合ポスト４６および解除ポスト５０を含んでおり、その結果、ハーネスコネクタ１８がモジュールコネクタ２２の内側にあるとき、各カムアーム２６が依然として嵌合ポスト４６および解除ポスト５０に係合して、２つの配向のいずれの配向でも、ハーネスコネクタ１８のレバー部材１４および上部１６（図２参照）を下部１６に連結することができる。
【００４２】
嵌合ポスト４６は形状が矩形であり、かつ平坦な上面１６６を有する。くさび形の歯１７０が、上面１６６に近接して、各嵌合ポスト４６の内壁部１７４から延びている。この歯１７０は頂部１７８を含んでいる。頂部１７８は、内壁部１７４から上向きにかつそれに対して鈍角をなして延びる下面部１８２まで、上面１６６から鋭角をなして下向きに延びている。動作においては、カムアーム２６（図４参照）を回転して嵌合補助装置組立体１０を初期段階位置から最終位置まで動かすとき、ギヤ面１３８（図４参照）が下面部１８２に係合しかつそれによって抵抗を受けて、カムアーム２６を矢印Ｅ方向に引き下げる。あるいは、カムアーム２６を回転して嵌合補助装置組立体１０を最終位置から初期段階位置まで動かすとき、第１ギヤ係合解除面１３４（図４参照）が頂部１７８に係合しかつそれによって抵抗を受けて、カムアーム２６を矢印Ｇ方向に押し上げる。
【００４３】
解除ポスト５０は形状が矩形であり、かつ同じ側壁１４６沿いに他方の解除ポスト５０の方向に下向きに傾斜する平坦な上面部１８６を含んでいる。動作においては、カムアーム２６を回転して嵌合補助装置組立体１０を最終位置から初期段階位置まで動かすとき、第２ギヤ係合解除面１４２（図４参照）が、この上面部１８６に係合しかつそれによって抵抗を受けて、カムアーム２６を矢印Ｇ方向に押し上げる。
【００４４】
各端壁１５０は２つの案内壁部１９０を含み、これら２つの案内壁部１９０は、互いに平行に、端壁１５０から内側にかつそれから直角に延びている。これらの２つの案内壁部１９０および端壁１５０は、保持くさび７８（図３参照）を受容する保持溝８６を画定する。はり留め９４が、案内壁部１９０と横並びに端部壁１５０から内側に延びている。くさび留め９０は保持溝８６内部で案内壁部１９０の間の中心に位置し、ハーネスコネクタ１８をモジュールコネクタ２２内に下向きに挿入すると、保持くさび７８が、くさび留め９０を弾性的に越えて下向きに滑動しかつくさび留め９０の下側で保持される。
【００４５】
図６は、初期段階位置にある図１の嵌合補助装置組立体１０を示す側断面図である。上部２０が、上面１９８から突出する撓み可能な止めくさび１９４を含んでいる。この止めくさび１９４は、ハンドル１１０に係合するように位置決めされており、したがってレバー部材１４が矢印Ｊ方向に回転軸３６に沿って回転するのを防止する。レバーアーム５８が垂直軸２４と平行であり、かつ歯１７０が部分的に第１ノッチ１２６内に、したがってカムアーム２６の回転経路内に位置する。ハーネスコネクタ１８をモジュールコネクタ２２内部にさらに挿入しかつ電気コンタクトを嵌合するために、止めくさび１９４を矢印Ｋ方向に下方に撓ませると、ハンドル１１０が撓んだ止めくさび１９４を越えて、レバー部材１４を回転軸３６の回りに矢印Ｊ方向に回転させることができる。
【００４６】
図７は、嵌合段階にある図１の嵌合補助装置組立体１０を示す側断面図である。図示のように、レバーアーム５８が、垂直軸２４に対して２５度の角度にあり、かつギヤ面１３８が第１接触点２０２で歯１７０の下面部１８２に係合する。この第１接触点２０２は、一定の距離すなわちピッチ円半径Ｄ１だけ回転軸３６から離れている。レバー部材１４を矢印Ｍの方向に回転軸３６の回りにさらに回転させると、歯１７０の下面部１８２が、ギヤ面１３８の矢印Ｎ方向への上向き移動に抵抗するために、カムアーム２６によって、旋回ポスト３０が、したがって回転軸３６が矢印Ｐ方向に垂直に引き下げられる。旋回ポスト３０が引き下げられると、嵌合する電気コンタクト間の静的および動的摩擦に打ち勝つのに十分な力で、ハーネスコネクタ１８が引き下げられて部分的に電気コンタクトを接続する。
【００４７】
図８は、最終位置にある図１の嵌合補助装置組立体１０を示す側断面図である。レバーアーム５８が、水平、すなわち垂直軸２４に対して９０度の角度にある。ハーネスコネクタ１８内の電気コンタクトは、モジュールコネクタ２２内の電気コンタクトと完全に嵌合されている。ギヤ面１３８が、下面部１８２に係合し、かつ旋回ポスト３０が矢印Ｌ方向に垂直に下向き移動したので、ギヤ面１３８が下面部１８２に沿って内壁部１７４により近接して滑動した。電気コンタクトを嵌合解除としかつハーネスコネクタ１８を初期段階位置まで戻すために、作業者は、ハンドル１１０を使用してレバー部材１４を回転軸３６の回りに矢印Ｑ方向に回転させる。
【００４８】
図９は、第１嵌合解除段階にある嵌合補助装置組立体１０を示す側断面図である。レバーアーム５８は、垂直軸２４に対して８０度の角度にあり、かつ第２ギヤ係合解除面１４２が第１接触点２２０で解除ポスト５０の上面部１８６に係合する。この第１接触点２２０は、一定の距離、すなわちＤ１とは異なるピッチ円半径Ｄ２だけ回転軸３６から離れている。レバー部材１４を矢印Ｒ方向に回転軸３６の回りにさらに回転させると、解除ポスト５０の上面部１８６が、矢印Ｓ方向への第２ギヤ係合解除面１４２の下向き移動に抵抗するために、カムアーム２６によって、旋回ポスト３０が、したがって回転軸３６が矢印Ｔ方向に垂直に引き上げられる。旋回ポスト３０が引き上げられると、嵌合する電気コンタクト間の静的および動的摩擦に打ち勝つのに十分な力で、ハーネスコネクタ１８が引き上げられて部分的に電気コンタクトを切り離す。
【００４９】
図１０は、第２嵌合解除段階にある図１の嵌合補助装置組立体１０を示す側断面図である。レバーアーム５８は垂直軸２４に対して５０度の角度にある。第２のギヤ係合解除面１４２が上面部１８６に係合し、かつ旋回ポスト３０が矢印Ｙ方向に垂直に上向き移動したので、第２のギヤ係合解除面１４２が上面部１８６に沿って嵌合ポスト４６に向かって滑動した。
【００５０】
この第２嵌合解除段階では、旋回ポスト３０が解除ポスト５０の上方に位置しており、もはや第２ギヤ係合解除面１４２が矢印Ｘ方向に上面部１８６に垂直に係合せず、したがってもはや電気コンタクトを切離すための垂直ベクトルの力を生成することはない。しかし、第１ギヤ係合解除面１３４が第１接触点２２８で歯１７０の頂部１７８に係合する。この第１接触点２２８は、一定の距離、すなわちピッチ円半径Ｄ１だけ回転軸３６から離れている。レバー部材１４を矢印Ｗ方向に回転軸３６の回りにさらに回転させると、歯１７０の頂部１７８が、矢印Ｘ方向への第１のギヤ係合解除面１３４の下向き移動に抵抗するために、カムアーム２６によって、旋回ポスト３０が、したがって回転軸３６が矢印Ｙ方向にさらに垂直に引き上げられる。旋回ポスト３０が引き上げられると、嵌合する電気コンタクト間の動的摩擦に打ち勝つのに十分な力で、ハーネスコネクタ１８がさらに引き上げられて完全に電気コンタクトを切り離す。またレバー部材１４を矢印Ｗ方向に回転軸３６の回りにさらに回転させると、ハンドル１１０が止めくさび１９４を乗り越えかつそれを矢印Ｘ方向に撓ませるが、その止めくさび１９４は、ハンドル１１０がもはやこの止めくさび１９４に接触しなくなると、上部２０から再び突出する。
【００５１】
図１１は、最終嵌合解除段階にある図１の嵌合補助装置組立体１０を示す側断面図である。レバーアーム５８は、再び垂直軸２４に対して平行である。第１ギヤ係合解除面１３４が頂部１７８に係合し、かつ旋回ポスト３０が矢印Ｕ方向に垂直に上向き移動したので、第１ギヤ係合解除面１３４が頂部１７８に沿って上面１６６に向かって滑動した。
【００５２】
図８に戻ると、頂部１７８がその先端２５０で下面部１８２と合致する。嵌合補助装置組立体１０を完全に嵌合するとき、これらの先端２５０は回転軸３６から距離Ｄ４にある。回転軸３６が矢印Ｚ方向に垂直に上向き移動するにつれて、この距離Ｄ４が短くなって、その結果、第１ギヤ係合解除面１３４が頂部１７８に向かって回転すると、この第１ギヤ係合解除面１３４は回転経路内に入って頂部１７８に接触するようになる。回転軸３６がさらに垂直に上向きに移動して先端２５０にさらに近接しなかったら、第１ギヤ係合解除面１３４は、これらの先端に横方向で接触するだけであり、したがって垂直方向の力が生成されることはなかろう。
【００５３】
したがって、第１ギヤ係合解除面１３４のピッチ円半径Ｄ１（図１０参照）よりも短いピッチ円半径Ｄ２（図９参照）を有する第２ギヤ係合解除面１４２が、第１の短い距離を移動して解除ポスト５０に接触しかつ回転軸３６を垂直に押し上げるので、第１ギヤ係合解除面１３４が、歯１７０に係合する第２のカムギヤを必要とせずに、第２の長い距離を移動して嵌合解除プロセスを完了する。
【００５４】
本嵌合補助装置組立体１０は幾つかの利点を提供する。１つには、第１ギヤ係合解除面およびギヤ面が第２ギヤ係合解除面と異なるピッチ円半径を有するので、ハーネスコネクタをモジュールコネクタ内部で挿抜するために、嵌合ポストおよび解除ポストに係合させるギヤ歯をカムアーム上に１つしか必要としない。したがってカムアームの製造が容易である。第２に、ギヤ係合解除面によって、コンタクトを容易に切り離すのに十分な垂直方向の力が備わる。第２ギヤ係合解除面が、短い距離を移動して解除ポストに係合しかつ嵌合したコンタクトの静的摩擦に打ち勝つのに十分な力で解除ポストに対して押し付けられる。第２ギヤ係合解除面がもはや解除ポストに対して垂直に係合しなくなると、第１ギヤ係合解除面が、コンタクト間の動的摩擦に打ち勝つのに十分な力で嵌合ポストに係合してコンタクトを切り離す。
【００５５】
本発明を幾つかの実施形態を参照して説明してきたが、本発明の範囲から逸脱することなく、様々な変更が可能でありかつ均等物を代用できることが当業者には理解されよう。さらには、本発明の開示に対して、その範囲から逸脱することなく、数多くの変更を実施して特定の状況または材料に適合することができる。したがって、本発明は開示した特定の実施形態に限定されず、本発明には添付の特許請求の範囲内に入るすべての実施形態が包含されていることを意図する。
【００５６】
【発明の効果】
本発明に係る電気コネクタによれば、容易に製造できると共に、強い非嵌合力が生じる、摩擦抵抗のある構成要素を係合させるためのレバーを用いる嵌合補助装置組立体を構成する電気コネクタを提供することができる。
【図面の簡単な説明】
【図１】本発明の一実施形態による嵌合補助装置組立体１０の上方から見た斜視図である。
【図２】図１の嵌合補助装置組立体を示す分解斜視図である。
【図３】図１および図２のハーネスコネクタの下部を示す斜視図である。
【図４】本発明の一実施形態によるレバー部材を示す斜視図である。
【図５】本発明の一実施形態によるモジュールコネクタを示す斜視図である。
【図６】初期段階位置にある図１の嵌合補助装置組立体を示す側断面図である。
【図７】嵌合段階にある図１の嵌合補助装置組立体を示す側断面図である。
【図８】最終位置にある図１の嵌合補助装置組立体を示す側断面図である。
【図９】第１嵌合解除段階にある図１の嵌合補助装置組立体を示す側断面図である。
【図１０】第２嵌合解除段階にある図１の嵌合補助装置組立体を示す側断面図である。
【図１１】最終嵌合解除段階にある図１の嵌合補助装置組立体を示す側断面図である。
【符号の説明】
１０  嵌合補助装置組立体
１４  レバー部材
１６  ハーネスコネクタの下部
１８  ハーネスコネクタ（第１ハウジング）
２０  ハーネスコネクタの上部
２２  モジュールコネクタ（第２ハウジング）
２４  垂直軸
２６  カムアーム
３０  旋回ポスト
３６  回転軸
３８  大きな位置合せポスト
４２  小さな位置合せポスト
４６  嵌合ポスト（第１嵌合ポスト）
５０  解除ポスト（第２嵌合ポスト）
５６  保持ラッチ
５８  レバーアーム
６０  ハーネスコネクタの側壁
６２  ハーネスコネクタの端壁
６６  固定レール
６７  固定レール
６８  短い固定レール
７０  ハーネスコネクタの凹部
７４  ラッチ留め
８２  保持はり
８６  保持溝
９０  くさび留め
９２  大きい位置合せ穴
９４  はり留め
９８  コネクタポケット
９９  ハーネスコネクタの壁
１００  モジュールコネクタの空隙
１０２  開放上部分
１０６  開放下部分
１１０  ハンドル
１１４  接触基部
１１８  保持穴
１２２  把持面
１２６  第１ノッチ
１３０  第２ノッチ
１３２  ギヤ歯
１３４  第１嵌合解除面
１３８  ギヤ面（第１ギヤ面）
１４２  第２嵌合解除面（第２ギヤ面）
１４６  モジュールコネクタの側壁
１５０  モジュールコネクタの端壁
１５４  モジュールコネクタの基部
１５８  コンタクトスロット
１６２  レールチャンバー
１６６  嵌合ポストの上面部
１７０  くさび形の歯
１７４  嵌合ポストの内壁部
１７８  嵌合ポストの頂部
１８２  嵌合ポストの下面部
１８６  解除ポストの上面部
１９０  案内壁部
１９４  止めくさび
１９８  上面
２０２、２２０、２２８  第１接触点
２５０  嵌合ポストの頂端部の先端
【図１】
0004152776.tif 000002
【図２】
0004152776.tif 000003
【図３】
0004152776.tif 000004
【図４】
0004152776.tif 000005
【図５】
0004152776.tif 000006
【図６】
0004152776.tif 000007
【図７】
0004152776.tif 000008
【図８】
0004152776.tif 000009
【図９】
0004152776.tif 000010
【図１０】
0004152776.tif 000011
【図１１】
0004152776.tif 000012